(57)【要約】【課題】色合いを調整できるようにする。【解決手段】  マトリックス回路33により輝度信号Ｙ’と色差信号Cr’／Cb’からRGB信号が生成される。RGB信号は、ガンマ補正回路61によりリニアなRGB信号に変換される。マトリックス回路62は、リニアなRGB信号をXYZ信号に変換する。XYZ信号は、マトリックス回路63によりマイクロコンピュータ41により設定された変換パラメータに基づいて、RGB信号に変換される。変換パラメータは、バックライト13Aが点灯されている場合と消灯されている場合とで変更される。ガンマ補正回路34は、入力されたRGB信号をガンマ補正し、LCD用駆動回路12に出力し、LCD13に表示させる。本発明は、デジタルスチルカメラに適用することが可能である。【選択図】図４
2007041296.tif 000002
【特許請求の範囲】
【請求項１】
第１のモードまたは第２のモードで画像を表示する画像表示装置のパラメータを決定する画像処理装置において、
前記画像表示装置に前記第１のモードと前記第２のモードを設定する設定手段と、
前記第１のモードと前記第２のモードが設定された状態で画像を表示する前記画像表示装置の色度値を測定する測定手段と、
前記第１のモードが設定されている場合に測定された前記色度値に基づいて、前記画像表示装置が前記第１のモードで画像を表示する場合に設定する第１のパラメータを演算するとともに、前記第２のモードが設定されている場合に測定された前記色度値に基づいて、前記画像表示装置が前記第２のモードで画像を表示する場合に設定する第２のパラメータを演算する演算手段と
を備える画像処理装置。
【請求項２】
前記第１のパラメータは、前記画像表示装置が画像を表示するLCDをバックライトを点灯した状態で使用する場合に、リニアなRGB信号を変換して生成されたXYZ信号をRGB信号に変換するマトリックス回路において使用するパラメータであり、前記第２のパラメータは、前記LCDを前記バックライトを消灯した状態で使用する場合に前記マトリックス回路において使用するパラメータである
請求項１に記載の画像処理装置。
【請求項３】
前記演算手段は、前記マトリックス回路で変換されたRGB信号をガンマ補正するγ値をさらに演算する
請求項２に記載の画像処理装置。
【請求項４】
第１のモードまたは第２のモードで画像を表示する画像表示装置のパラメータを決定する画像処理装置の画像処理方法において、
前記画像表示装置に前記第１のモードと前記第２のモードを設定し、
前記第１のモードと前記第２のモードが設定された状態で画像を表示する前記画像表示装置の色度値を測定し、
前記第１のモードが設定されている場合に測定された前記色度値に基づいて、前記画像表示装置が前記第１のモードで画像を表示する場合に設定する第１のパラメータを演算するとともに、前記第２のモードが設定されている場合に測定された前記色度値に基づいて、前記画像表示装置が前記第２のモードで画像を表示する場合に設定する第２のパラメータを演算する
ステップを備える画像処理方法。
【請求項５】
第１のモードまたは第２のモードで画像を表示する画像表示装置のパラメータを決定する画像処理装置のプログラムにおいて、
前記画像表示装置に前記第１のモードと前記第２のモードを設定し、
前記第１のモードと前記第２のモードが設定された状態で画像を表示する前記画像表示装置の色度値を測定し、
前記第１のモードが設定されている場合に測定された前記色度値に基づいて、前記画像表示装置が前記第１のモードで画像を表示する場合に設定する第１のパラメータを演算するとともに、前記第２のモードが設定されている場合に測定された前記色度値に基づいて、前記画像表示装置が前記第２のモードで画像を表示する場合に設定する第２のパラメータを演算する
処理をコンピュータに実行させるプログラム。
【請求項６】
請求項５に記載のプログラムが記録されている記録媒体。
【請求項７】
入力されたRGB信号をXYZ信号に変換する第１の変換手段と、
画像を表示する表示部に関して第１のモードと第２のモードのいずれが設定されたのかを判定する判定手段と、
前記第１のモードが設定された場合、前記XYZ信号を第１のパラメータに基づきRGB信号に変換するとともに、前記第２のモードが設定された場合、前記XYZ信号を第２のパラメータに基づきRGB信号に変換する第２の変換手段と、
前記第１のモードが設定された場合、前記第１のパラメータに基づき変換されたRGB信号を第１のγ値でガンマ補正し、前記第２のモードが設定された場合、前記第２のパラメータに基づき変換されたRGB信号を第２のγ値でガンマ補正する補正手段と
を備える画像処理装置。
【請求項８】
前記表示部は、LCDであり、
前記第１のモードは、前記LCDを照明するバックライトを点灯して前記LCDを使用するモードであり、前記第２のモードは、前記バックライトを消灯して前記LCDを使用するモードである
請求項７に記載の画像処理装置。
【請求項９】
前記第１のパラメータと前記第２のパラメータ、並びに前記第１のγ値と前記第２のγ値を記憶する記憶手段と、
前記判定手段の判定結果に基づいて、前記第２の変換手段に前記第１のパラメータまたは前記第２のパラメータを設定するとともに、前記補正手段に前記第１のγ値または前記第２のγ値を設定する設定手段と
をさらに備える請求項８に記載の画像処理装置。
【請求項１０】
入力されたRGB信号をリニアなRGB信号に変換し、前記第１の変換手段に供給する第３の変換手段
をさらに備える請求項９に記載の画像処理装置。
【請求項１１】
入力されたRGB信号をXYZ信号に変換し、
画像を表示する表示部に関して第１のモードと第２のモードのいずれが設定されたのかを判定し、
前記第１のモードが設定された場合、前記XYZ信号を第１のパラメータに基づきRGB信号に変換するとともに、前記第２のモードが設定された場合、前記XYZ信号を第２のパラメータに基づきRGB信号に変換し、
前記第１のモードが設定された場合、前記第１のパラメータに基づき変換されたRGB信号を第１のγ値でガンマ補正し、前記第２のモードが設定された場合、前記第２のパラメータに基づき変換されたRGB信号を第２のγ値でガンマ補正する
ステップを備える画像処理方法。
【請求項１２】
入力されたRGB信号をXYZ信号に変換し、
画像を表示する表示部に関して第１のモードと第２のモードのいずれが設定されたのかを判定し、
前記第１のモードが設定された場合、前記XYZ信号を第１のパラメータに基づきRGB信号に変換するとともに、前記第２のモードが設定された場合、前記XYZ信号を第２のパラメータに基づきRGB信号に変換し、
前記第１のモードが設定された場合、前記第１のパラメータに基づき変換されたRGB信号を第１のγ値でガンマ補正し、前記第２のモードが設定された場合、前記第２のパラメータに基づき変換されたRGB信号を第２のγ値でガンマ補正する
ステップをコンピュータに実行させるプログラム。
【請求項１３】
請求項１２に記載のプログラムが記録されている記録媒体。
【発明の詳細な説明】
【技術分野】
【０００１】
本発明は、画像処理装置および方法、プログラム並びに記録媒体に関し、特に、色合いを調整することができるようにした画像処理装置および方法、プログラム並びに記録媒体に関する。
【背景技術】
【０００２】
本出願人は、LCD(Liquid Crystal Display)を用いた装置に画像を表示する場合において、バックライトを消灯して反射型の装置として用いる場合と、バックライトを点灯して透過型の装置として用いる場合とで特性データを切り替えることにより、よりきめ細かな視認性を確保できるようにすることを先に提案した（例えば特許文献１）。
【０００３】
図１は、先の提案の原理的構成を表している。同図に示されるように、DSP(Digital Signal Processor)11は、内部にLCD用信号処理部21を有している。DSP11より出力されたRGB信号はLCD用駆動回路12に供給され、LCD用駆動回路12は入力されたRGB信号に基づいてLCD13を駆動する。
【０００４】
LCD用信号処理部21は、輝度ゲイン調整回路31、クロマゲイン色相調整回路32、マトリックス回路33、並びにガンマ補正回路34により構成されている。
【０００５】
輝度ゲイン調整回路31は、入力された輝度信号Ｙのゲインを調整し、輝度信号Ｙ’としてマトリックス回路33に出力する。クロマゲイン色相調整回路32は、入力された色差信号Cr／Cbのゲインと色相を調整し、色差信号Cr’／Cb’としてマトリックス回路33に出力する。マイクロコンピュータ41は、クロマゲイン色相調整回路32と輝度ゲイン調整回路31の調整処理を制御する。
【０００６】
マトリックス回路33は、入力された輝度信号Ｙ’と色差信号Cr’／Cb’をRGB信号に変換し、ガンマ補正回路34に出力する。ガンマ補正回路34は、入力されたRGB信号を、マイクロコンピュータ41より供給されたガンマ補正特性にしたがって補正し、後段のLCD用駆動回路12に出力する。
【０００７】
マイクロコンピュータ41は、バックライトが点灯された場合と消灯された場合とでクロマゲイン色相調整回路32とガンマ補正回路34に出力する特性データを変更する。これにより、LCD13においてバックライトを点灯して使用する場合においても、また消灯して使用する場合においても、きめ細かな視認性を確保することができる。
【０００８】
【特許文献１】特開２００３−１６７２２８号公報
【発明の開示】
【発明が解決しようとする課題】
【０００９】
先の提案においては、例えば、図２に示されるように、色空間内のNTSC方式の画像信号で表現可能な範囲である線L1で囲まれる範囲のうち、例えば、バックライトを点灯した状態で表現できる範囲は線L2で示される範囲であり、これに対してバックライトを消灯した状態で示される範囲は線L3で示される範囲であるとする。線L2で示される範囲の軸は、点P0から点P1乃至点P3に向かう軸V1乃至軸V3である。点P0は白を表す点であり、点P1は赤を表す点であり、点P2は緑を表す点であり、点P3は青を表す点である。
【００１０】
これに対して、線L3で示される範囲の軸は、点P0から点P4乃至点P6に向かう軸V4乃至V6である。点P4は赤を表す点であり、点P5は緑を表す点であり、点P6は青を表す点である。
【００１１】
しかしながら、図１のクロマゲイン色相調整回路32の調整により調整できるのは、例えば、図３に示されるように、点P0から点P5に向かう軸V5を、点P0から点P2に向かう軸V2に方向が一致するように調整するものに過ぎない。すなわち、このように調整したとしても、点P0から点P4に向かっていた軸V4を軸V1に一致させることはできず、また、点P0から点P6に向かう軸V6を軸V3に一致させることはできない。このことは全体的な色合いを調整することができないことを意味する。
【００１２】
本発明は、このような状況に鑑みてなされたものであり、色合いを調整することができるようにするものである。
【課題を解決するための手段】
【００１３】
本発明の一側面は、第１のモードまたは第２のモードで画像を表示する画像表示装置のパラメータを決定する画像処理装置において、前記画像表示装置に前記第１のモードと前記第２のモードを設定する設定手段と、前記第１のモードと前記第２のモードが設定された状態で画像を表示する前記画像表示装置の色度値を測定する測定手段と、前記第１のモードが設定されている場合に測定された前記色度値に基づいて、前記画像表示装置が前記第１のモードで画像を表示する場合に設定する第１のパラメータを演算するとともに、前記第２のモードが設定されている場合に測定された前記色度値に基づいて、前記画像表示装置が前記第２のモードで画像を表示する場合に設定する第２のパラメータを演算する演算手段とを備える画像処理装置である。
【００１４】
前記第１のパラメータは、前記画像表示装置が画像を表示するLCDをバックライトを点灯した状態で使用する場合に、リニアなRGB信号を変換して生成されたXYZ信号をRGB信号に変換するマトリックス回路において使用するパラメータであり、前記第２のパラメータは、前記LCDを前記バックライトを消灯した状態で使用する場合に前記マトリックス回路において使用するパラメータとすることができる。
【００１５】
前記演算手段は、前記マトリックス回路で変換されたRGB信号をガンマ補正するγ値をさらに演算することができる。
【００１６】
また本発明の一側面は、第１のモードまたは第２のモードで画像を表示する画像表示装置のパラメータを決定する画像処理装置の画像処理方法において、前記画像表示装置に前記第１のモードと前記第２のモードを設定し、前記第１のモードと前記第２のモードが設定された状態で画像を表示する前記画像表示装置の色度値を測定し、前記第１のモードが設定されている場合に測定された前記色度値に基づいて、前記画像表示装置が前記第１のモードで画像を表示する場合に設定する第１のパラメータを演算するとともに、前記第２のモードが設定されている場合に測定された前記色度値に基づいて、前記画像表示装置が前記第２のモードで画像を表示する場合に設定する第２のパラメータを演算するステップを備える画像処理方法、プログラムおよび記録媒体である。
【００１７】
本発明の他の側面は、入力されたRGB信号をXYZ信号に変換する第１の変換手段と、画像を表示する表示部に関して第１のモードと第２のモードのいずれが設定されたのかを判定する判定手段と、前記第１のモードが設定された場合、前記XYZ信号を第１のパラメータに基づきRGB信号に変換するとともに、前記第２のモードが設定された場合、前記XYZ信号を第２のパラメータに基づきRGB信号に変換する第２の変換手段と、前記第１のモードが設定された場合、前記第１のパラメータに基づき変換されたRGB信号を第１のγ値でガンマ補正し、前記第２のモードが設定された場合、前記第２のパラメータに基づき変換されたRGB信号を第２のγ値でガンマ補正する補正手段とを備える画像処理装置である。
【００１８】
前記表示部は、LCDであり、前記第１のモードは、前記LCDを照明するバックライトを点灯して前記LCDを使用するモードであり、前記第２のモードは、前記バックライトを消灯して前記LCDを使用するモードとすることができる。
【００１９】
前記第１のパラメータと前記第２のパラメータ、並びに前記第１のγ値と前記第２のγ値を記憶する記憶手段と、前記判定手段の判定結果に基づいて、前記第２の変換手段に前記第１のパラメータまたは前記第２のパラメータを設定するとともに、前記補正手段に前記第１のγ値または前記第２のγ値を設定する設定手段とをさらに備えることができる。
【００２０】
入力されたRGB信号をリニアなRGB信号に変換し、前記第１の変換手段に供給する第３の変換手段をさらに備えることができる。
【００２１】
また本発明の他の側面は、入力されたRGB信号をXYZ信号に変換し、画像を表示する表示部に関して第１のモードと第２のモードのいずれが設定されたのかを判定し、前記第１のモードが設定された場合、前記XYZ信号を第１のパラメータに基づきRGB信号に変換するとともに、前記第２のモードが設定された場合、前記XYZ信号を第２のパラメータに基づきRGB信号に変換し、前記第１のモードが設定された場合、前記第１のパラメータに基づき変換されたRGB信号を第１のγ値でガンマ補正し、前記第２のモードが設定された場合、前記第２のパラメータに基づき変換されたRGB信号を第２のγ値でガンマ補正するステップを備える画像処理方法、プログラムおよび記録媒体である。
【００２２】
本発明の一側面においては、第１のモードと第２のモードが設定された状態で画像を表示する画像表示装置の色度値が測定される。第１のモードが設定されている場合に測定された色度値に基づいて第１のパラメータが演算され、第２のモードが設定されている場合に測定された色度値に基づいて第２のパラメータが演算される。
【００２３】
本発明の他の側面においては、画像を表示する表示部に関して第１のモードと第２のモードのいずれが設定されたのかが判定される。第１のモードが設定された場合第１のパラメータに基づいて、また第２のモードが設定された場合第２のパラメータに基づいて、それぞれXYZ信号がRGB信号に変換される。さらに、第１のモードが設定された場合第１のパラメータに基づき変換されたRGB信号が第１のγ値でガンマ補正され、第２のモードが設定された場合、第２のパラメータに基づき変換されたRGB信号が第２のγ値でガンマ補正される。
【発明の効果】
【００２４】
以上のように、本発明の一側面によれば、色合いを調整可能なパラメータを得ることができる。
【００２５】
また本発明の他の側面によれば、色合いを調整することができる。
【発明を実施するための最良の形態】
【００２６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の一側面は、第１のモード（例えば、透過モード）または第２のモード（例えば、反射モード）で画像を表示する画像表示装置（例えば、図４のデジタルスチルカメラ１）のパラメータを決定する画像処理装置（例えば、図５の測定装置101）において、前記画像表示装置に前記第１のモードと前記第２のモードを設定する設定手段（例えば、図６のステップS1、図７のステップS17の処理を実行する図５のバックライト制御部121、図７のステップS18の処理を実行する図５の照明部134）と、前記第１のモードと前記第２のモードが設定された状態で画像を表示する前記画像表示装置の色度値を測定する測定手段（例えば、図６のステップS3，S6，S9，S12、図７のステップS20，S23、図８のステップS26，S29の処理を実行する図５の測定部131）と、前記第１のモードが設定されている場合に測定された前記色度値に基づいて、前記画像表示装置が前記第１のモードで画像を表示する場合に設定する第１のパラメータ（例えば、式（２）の変換パラメータAn）を演算する（例えば、図７のステップS14）とともに、前記第２のモードが設定されている場合に測定された前記色度値に基づいて、前記画像表示装置が前記第２のモードで画像を表示する場合に設定する第２のパラメータ（例えば、式（４）の変換パラメータAf）を演算する（例えば、図８のステップS31）演算手段（例えば、図５の演算部132）とを備える画像処理装置である。
【００２８】
前記第１のパラメータ（例えば、式（２）の変換パラメータAn）は、前記画像表示装置が画像を表示するLCD（例えば、図４のLCD13）をバックライト（例えば、図４のバックライト13A）を点灯した状態で使用する場合に、リニアなRGB信号（例えば、図４のガンマ補正回路61の出力するRGB信号）を変換して生成されたXYZ信号（例えば、図４のマトリックス回路62が出力するXYZ信号）をRGB信号に変換するマトリックス回路（例えば、図４のマトリックス回路63）において使用するパラメータであり、前記第２のパラメータ（例えば、式（４）の変換パラメータAf）は、前記LCDを前記バックライトを消灯した状態で使用する場合に前記マトリックス回路において使用するパラメータとすることができる。
【００２９】
前記演算手段は、前記マトリックス回路で変換されたRGB信号をガンマ補正するγ値（例えば、図７のステップS15の変換パラメータγAn、図８のステップS32の変換パラメータγAf）をさらに演算することができる。
【００３０】
また本発明の一側面は、第１のモード（例えば、透過モード）または第２のモード（例えば、反射モード）で画像を表示する画像表示装置（例えば、図４のデジタルスチルカメラ１）のパラメータを決定する画像処理装置（例えば、図５の測定装置101）の画像処理方法、プログラムおよび記録媒体において、前記画像表示装置に前記第１のモードと前記第２のモードを設定し（例えば、図６のステップS1、図７のステップS17，S18）、前記第１のモードと前記第２のモードが設定された状態で画像を表示する前記画像表示装置の色度値を測定し（例えば、図６のステップS3，S6，S9，S12、図７のステップS20，S23、図８のステップS26，S29）、前記第１のモードが設定されている場合に測定された前記色度値に基づいて、前記画像表示装置が前記第１のモードで画像を表示する場合に設定する第１のパラメータ（例えば、式（２）の変換パラメータAn）を演算する（例えば、図７のステップS14）とともに、前記第２のモードが設定されている場合に測定された前記色度値に基づいて、前記画像表示装置が前記第２のモードで画像を表示する場合に設定する第２のパラメータ（例えば、式（４）の変換パラメータAf）を演算する（例えば、図８のステップS31）ステップを備える画像処理方法、プログラムおよび記録媒体である。
【００３１】
本発明の他の側面は、入力されたRGB信号をXYZ信号に変換する第１の変換手段（例えば、図９のステップS56の処理を実行する図４のマトリックス回路62）と、画像を表示する表示部（例えば、図４のLCD13）に関して第１のモード（例えば、透過モード）と第２のモード（例えば、反射モード）のいずれが設定されたのかを判定する判定手段（例えば、図９のステップS57の処理を実行する図４のマイクロコンピュータ41）と、前記第１のモードが設定された場合、前記XYZ信号を第１のパラメータに基づきRGB信号に変換する（例えば、図10のステップS60）とともに、前記第２のモードが設定された場合、前記XYZ信号を第２のパラメータに基づきRGB信号に変換する（例えば、図11のステップS67）第２の変換手段（例えば、図４のマトリックス回路63）と、前記第１のモードが設定された場合、前記第１のパラメータに基づき変換されたRGB信号を第１のγ値でガンマ補正し（例えば、図10のステップS63において変換パラメータγAnでガンマ補正し）、前記第２のモードが設定された場合、前記第２のパラメータに基づき変換されたRGB信号を第２のγ値でガンマ補正する（例えば、図11のステップS69において変換パラメータγAfでガンマ補正する）補正手段（例えば、図４のガンマ補正回路34）とを備える画像処理装置（例えば、図４のデジタルスチルカメラ１）である。
【００３２】
前記表示部は、LCD（例えば、図４のLCD13）であり、前記第１のモードは、前記LCDを照明するバックライト（例えば、図４のバックライト13A）を点灯して前記LCDを使用するモード（例えば、透過モード）であり、前記第２のモードは、前記バックライトを消灯して使用するモード（例えば、反射モード）とすることができる。
【００３３】
前記第１のパラメータと前記第２のパラメータ、並びに前記第１のγ値と前記第２のγ値を記憶する記憶手段（例えば、図４のメモリ71）と、前記判定手段の判定結果に基づいて、前記第２の変換手段に前記第１のパラメータまたは前記第２のパラメータを設定するとともに、前記補正手段に前記第１のγ値または前記第２のγ値を設定する設定手段（例えば、図10のステップS59、図11のステップS65の処理を実行する図４のマイクロコンピュータ41）とをさらに備えることができる。
【００３４】
入力されたRGB信号をリニアなRGB信号に変換し、前記第１の変換手段に供給する第３の変換手段（例えば、図９のステップS55の処理を実行する図４のガンマ補正回路61）をさらに備えることができる。
【００３５】
また本発明の他の側面は、入力されたRGB信号をXYZ信号に変換し（例えば、図９のステップS56）、画像を表示する表示部（例えば、図４のLCD13）に関して第１のモード（例えば、透過モード）と第２のモード（例えば、反射モード）のいずれが設定されたのかを判定し（例えば、図９のステップS57）、前記第１のモードが設定された場合、前記XYZ信号を第１のパラメータに基づきRGB信号に変換する（例えば、図１０のステップS60）とともに、前記第２のモードが設定された場合、前記XYZ信号を第２のパラメータに基づきRGB信号に変換し（例えば、図11のステップS67）、前記第１のモードが設定された場合、前記第１のパラメータに基づき変換されたRGB信号を第１のγ値でガンマ補正し（例えば、図10のステップS63において変換パラメータγAnでガンマ補正し）、前記第２のモードが設定された場合、前記第２のパラメータに基づき変換されたRGB信号を第２のγ値でガンマ補正する（例えば、図11のステップS69において変換パラメータγAfでガンマ補正する）ステップを備える画像処理方法、プログラムおよび記録媒体である。
【００３６】
以下、図を参照して本発明の実施の形態について説明する。
【００３７】
図４は、本発明の一実施の形態としてのデジタルスチルカメラ１の構成を表している。その基本的構成は、図１に示した場合と同様である。すなわち、DSP11はLCD用信号処理部51を有し、図示せぬ入力部から入力されたビデオ信号（輝度信号Ｙ、色差信号Cr／Cb）を処理して、ガンマ補正されたRGB信号を出力する。DSP11より出力されたRGB信号は、LCD用駆動回路12に供給される。LCD用駆動回路12は、入力されたRGB信号をLCD13に供給し、対応する画像を表示させる。LCD13はバックライト13Aを有し、マイクロコンピュータ41により透過モードが設定された場合には、点灯しているLCD13を背面から照明する。これに対して反射モードが設定された場合には、バックライト13Aは消灯される。このときLCD13は外光により照明される。
【００３８】
LCD用信号処理部51は、輝度ゲイン調整回路31、クロマゲイン色相調整回路32、マトリックス回路33、並びにガンマ補正回路34を有している。また、マトリックス回路33とガンマ補正回路34の間には、ガンマ補正回路61、マトリックス回路62、およびマトリックス回路63がカスケードに順次配置されている。
【００３９】
輝度ゲイン調整回路31は、図示せぬ回路から入力された輝度信号Ｙをマイクロコンピュータ41からの制御信号に基づいてそのゲインを調整し、調整された輝度信号Ｙ'をマトリックス回路33に出力する。クロマゲイン色相調整回路32は、図示せぬ回路から入力された色差信号Cr／Cbをマイクロコンピュータ41からの制御信号に基づいてそのゲインと色相を調整し、調整後の色差信号Cr'／Cb'をマトリックス回路33に出力する。
【００４０】
マトリックス回路33は、ITU(International Telecommunication Union)−R  BT.601に規定されている変換パラメータに基づいて（式（１）に従って）、輝度ゲイン調整回路31とクロマゲイン色相調整回路32より供給された輝度信号Ｙ'と色差信号Cr'／Cb'をRGB信号に変換し、ガンマ補正回路61に出力する。
【００４１】
【数１】
2007041296.tif 000003
【００４２】
ガンマ補正回路61は、マトリックス回路33より入力されたRGB信号をリニアRGB信号に変換し、マトリックス回路62に出力する。マトリックス回路62は、ガンマ補正回路61より入力されたリニアなRGB信号をXYZ色空間の信号XYZ信号に変換し、マトリックス回路63に出力する。マトリックス回路63は、マイクロコンピュータ41からの制御信号に基づいて入力されたXYZ信号をRGB信号に変換し、ガンマ補正回路34に出力する。ガンマ補正回路34はマトリックス回路62より入力されたRGB信号をLCD13の特性にしたがってガンマ補正し、ガンマ補正したRGB信号をLCD用駆動回路12に出力する。
【００４３】
入力部72は、ユーザの操作に基づいた信号（指令）をマイクロコンピュータ41に出力する。マイクロコンピュータ41は、入力部72からの信号に基づいて各部を制御する。メモリ71には、輝度ゲイン調整回路31、クロマゲイン色相調整回路32、マトリックス回路63、並びにガンマ補正回路34に供給するパラメータが記憶されており、LCD13のモードが透過モードと反射モードのいずれかに切り替えられた場合において、その切り替えられたモードに対応する変換パラメータがマイクロコンピュータ41により読み出され、各部に供給される。
【００４４】
本発明の実施の形態においては、メモリ71に記憶されているマトリックス回路63とガンマ補正回路34の変換パラメータが、図５に示される本発明の実施の形態としての測定装置101によりデジタルスチルカメラ１のLCD13（測定用のデジタルスチルカメラ１としてのデジタルスチルカメラ111のLCD122）に表示された画像を撮像することで測定される。
【００４５】
すなわち、測定装置101は、測定部131、演算部132、記憶部133、並びに照明部134により構成されており、これらにより測定対象としてのデジタルスチルカメラ111を測定する。
【００４６】
測定部131は、測定対象としてのデジタルスチルカメラ111のLCD122の表示状態を測定する。演算部132は、測定部131により測定された結果に基づいて変換パラメータを演算し、記憶部133に供給し、記憶させる。記憶部133に記憶された変換パラメータが、図４のメモリ71に書き込まれることになる。
【００４７】
デジタルスチルカメラ111においては、バックライト制御部121が、バックライト122Aを点灯状態または消灯状態に制御する。バックライト122Aは、点灯されたときLCD122を背面から照明する。このLCD122は図４におけるLCD13に対応し、バックライト122Aは図４におけるバックライト13Aに対応する。バックライト122Aが消灯されているとき照明部134が点灯され、LCD122を照明する。照明部134としては、特定の光源が用いられ、sRGB規格に基づいて色合いを調整する場合、白を表示したLCD122を照明し、それにより反射されたときの色がD65光源と同等となる光源が採用される。その他の規格に基づき色合いを調整する場合には、照明部134としてその他の光源を用いたり、あるいは、照明部134自体を省略することもできる。
【００４８】
最初に、図６乃至図８のフローチャートを参照して、測定装置101により行われる測定処理について説明する。
【００４９】
ステップS1において、バックライト制御部121はバックライトを点灯する。これにより、バックライト122AによりLCD122が照明される。ステップS2において、LCD122は測定部131から供給された赤のテスト画像を表示する。ステップS3において、測定部131はLCD122に表示されている画像のxy色度図の色度値ｘRn，ｙRnを測定する。
【００５０】
ステップS4において、演算部132は、ｚRn＝1−ｘRn−ｙRnを演算する。
【００５１】
ステップS5において、LCD122は、測定部131から供給された緑のテスト画像を表示する。ステップS6において、測定部131は、LCD122に表示されている画像を測定することで、色度値ｘGn，ｙGnを測定する。ステップS7において、演算部132は、ｚGn＝１−ｘGn−ｙGnを演算する。
【００５２】
ステップS8において、LCD122は、測定部131から供給される青のテスト画像を表示する。ステップS9において、測定部131は、色度値ｘBn，ｙBnを測定する。ステップS10において、演算部132はｚBn＝１−ｘBn−ｙBnを演算する。
【００５３】
ステップS11において、LCD122は、測定部131から供給された白のテスト画像を表示する。ステップS12において、測定131は、LCD122に表示されている白のテスト画像の色度値ｘWn，ｙWnを測定する。ステップS13において、演算部132はｚWn＝１−ｘWn−ｙWnを演算する。
【００５４】
ステップS14において、演算部132は式（２）と式（３）に基づいて、変換パラメータAnを演算する。
【００５５】
【数２】
2007041296.tif 000004
【００５６】
ステップS15において、演算部132は、変換パラメータγAnを演算する。この変換パラメータγAnは、図４のマトリックス回路63に変換パラメータAnが設定された場合に、ガンマ補正回路34において入力されたRGB信号をガンマ補正する場合の変換パラメータである。
【００５７】
ステップS16において、記憶部133は、変換パラメータAn，γAnをメモリに記憶する。具体的には、記憶部133は、いったん変換パラメータAn，γAnを内蔵するメモリに記憶した後、さらに、最終的には図４のメモリ71に記憶させる（勿論、後述するステップS33において、変換パラメータAf，γAfと同時に記憶させるようにしてもよい）。
【００５８】
以上のようにして、バックライト122Aが点灯した状態における変換パラメータAn，γAnが記憶された後、バックライト122Aを消灯した場合の変換パラメータを測定する処理が行われる（勿論、バックライト122Aを消灯した状態の測定を先に行うようにしてもよい）。すなわち、ステップS17において、バックライト制御部121はバックライトを消灯する。これにより、バックライト122Aがバックライト制御部121の制御に基づいて消灯し、LCD122の照明を中止する。その代わりに、ステップS18において、照明部134は特定の光源でLCDを照明する。すなわち、照明部134を構成する特定の光源より出射された光により、LCD122が照明される。
【００５９】
ステップS19において、LCD122は、測定部131より供給された赤のテスト画像を表示する。ステップS20において、測定部131は、赤のテスト画像が表示されたLCD122を撮像することで、色度値ｘRf，ｙRfを測定する。ステップS21において、演算部132は、ｚRf＝１−ｘRf−ｙRf を演算する。
【００６０】
ステップS22において、LCD122は、測定部131より供給された緑のテスト画像を表示する。ステップS23において、測定部131は、緑のテスト画像を表示するLCD122を撮像することで、色度値ｘGf，ｙGfを測定する。ステップS24において、演算部132は、ｚGf＝１−ｘGf−ｙGfを演算する。
【００６１】
ステップS25において、LCD122は、測定部131より供給される青のテスト画像を表示する。ステップS26において、測定部131は、青のテスト画像を表示するLCD122を撮像することで、色度値ｘBf，ｙBfを測定する。ステップS27において、演算部132は、ｚBf＝１−ｘBf−ｙBfを演算する。
【００６２】
ステップS28において、LCD122は、測定部131から供給される白のテスト画像を表示する。ステップS29において、測定部131は、LCD122に表示されている白の画像を撮像することで色度値ｘWf，ｙWfを測定する。ステップS30において、演算部132は、ｚWf＝１−ｘWf−ｙWfを演算する。
【００６３】
ステップS31において、演算部132は、式（４）と式（５）に基づいて変換パラメータAfを演算する。
【００６４】
【数３】
2007041296.tif 000005
【００６５】
ステップS32において、演算部132は、変換パラメータγAfを演算する。この変換パラメータγAfは、図４のマトリックス回路63にパラメータAfを設定した場合にガンマ補正回路34に設定する変換パラメータである。
【００６６】
ステップS33において、記憶部133は、変換パラメータAf，γAfをメモリに記憶する。すなわち、ステップS31において演算された変換パラメータAfと、ステップS32において演算された変換パラメータγAfが、記憶部133に内蔵するメモリに記憶される。そして、さらに図４のメモリ71に記憶される。
【００６７】
以上のようにして、デジタルスチルカメラ１のメーカは、メモリ71にマトリックス回路63に設定する変換パラメータAn，Afと、ガンマ補正回路34に設定する変換パラメータγAn，γAfをメモリ71に記憶させる。なお、説明は省略するが、メモリ71には輝度ゲイン調整回路31とクロマゲイン色相調整回路32に設定するパラメータも記憶される。
【００６８】
すなわち、変換パラメータを得ることができ、それをメモリ71に記憶させることでデジタルスチルカメラ１に色合いを調整させることが可能となる。
【００６９】
ユーザが、デジタルスチルカメラ１を使用する場合に行われる画像表示処理について、図９乃至図11のフローチャートを参照して説明する。
【００７０】
ステップS51において、マイクロコンピュータ41は、入力部72からの入力に基づいて、ユーザが設定したモードを取り込む。すなわち、ユーザはデジタルスチルカメラ１を使用するとき、LCD122を透過モードで使用するのか、反射モードで使用するのかを入力部72を操作することで入力する。ステップS52において、マイクロコンピュータ41は、クロマゲイン色相調整を行う。ステップS53において、マイクロコンピュータ41は輝度ゲイン調整を行う。具体的には、マイクロコンピュータ41は、メモリ71からクロマゲイン色相調整のためのパラメータ読み出し、クロマゲイン色相調整回路32に設定するとともに、メモリ71から輝度ゲイン調整用のパラメータを読み出し、輝度ゲイン調整回路31に設定する。
【００７１】
輝度ゲイン調整回路31は、図示せぬ回路から供給された輝度信号Ｙをそのゲインを調整して、輝度信号Ｙ'としてマトリックス回路33に出力する。同様に、クロマゲイン色相調整回路32は、図示せぬ回路から供給された色差信号Cr／Cbのゲインと色相を調整し、色差信号Cr'／Cb'としてマトリックス回路33に出力する。
【００７２】
ステップS54において、マトリックス回路33は入力された信号をRGB信号に変換する。すなわち、マトリックス回路33は、輝度信号Ｙ’と色差信号Cr'／Cb'からRGB信号を生成し、ガンマ補正回路61に出力する。
【００７３】
ステップS55において、ガンマ補正回路61は、マトリックス回路33より入力されたRGB信号をリニアRGB信号に変換する。すなわち、後段のマトリックス回路63に設定する変換パラメータをLCD13の特性に影響されない値にしておくためには、マトリックス回路63に入力される信号をリニアな信号にしておく必要がある。このため、ガンマ補正回路61により、一旦RGB信号がリニアなRGB信号に変換される。
【００７４】
ステップS56において、マトリックス回路62は、次の式（６）に基づいて、入力されたRGB信号をXYZ信号に変換する。
【００７５】
【数４】
2007041296.tif 000006
【００７６】
マトリックス回路62により入力されたRGB信号をXYZ信号に変換するのは、マトリックス回路63において設定されている変換パラメータが、XYZ信号を基準とした変換パラメータであるからである。
【００７７】
次に、ステップS57において、マイクロコンピュータ41は、ステップS51で取り込まれたモードが透過モードかを判定する。設定されているモードが透過モードである場合には、ステップS58において、マイクロコンピュータ41はメモリ71から変換パラメータAnを読み出す。すなわち、透過モードを使用する場合においてマトリックス回路63に設定される変換パラメータAnがここで読み出される。ステップS59において、マイクロコンピュータ41は、ステップS58の処理で読み出された変換パラメータAnをマトリックス回路63に設定する。ステップS60において、マトリックス回路63は、変換パラメータAnに基づいてXYZ信号をRGB信号に変換する。すなわち、XYZ信号が、式（７）に従ってRGB信号に戻される。これにより、マトリックス回路33より出力されたRGB信号が、最適な色合いに調整したRGB信号として出力されることになる。
【００７８】
【数５】
2007041296.tif 000007
【００７９】
ステップS61において、マイクロコンピュータ41は変換パラメータγAnをメモリ71から読み出す。ステップS62において、マイクロコンピュータ41は、ステップS61の処理で読み出され変換パラメータγAnをガンマ補正回路34に設定する。そして、ステップS63においてガンマ補正回路34は、ステップS62の処理で設定された変換パラメータγAnに基づいてガンマ補正する。すなわち、ガンマ補正回路34は、マトリックス回路63より入力されたRGB信号をガンマ補正して、後段のLCD用駆動回路12に出力する。
【００８０】
そして、ステップS64において、LCD13は入力されたRGB信号に基づく画像を表示する。具体的には、LCD用駆動回路12がLCD13を駆動し、色合いが調整されたRGB信号に対応する画像を表示させる。
【００８１】
一方、ステップS57において、ユーザにより設定されたモードが透過モードではないと判定された場合（反射モードである場合）、ステップS65において、マイクロコンピュータ41は、変換パラメータAfをメモリ71から読み出す。ステップS65において、マイクロコンピュータ41は、ステップS64の処理で読み出された変換パラメータAfをマトリックス回路63に設定する。ステップS67において、マトリックス回路63は、ステップS66の処理で設定された変換パラメータAfに基づいてRGB信号をXYZ信号に変換する。すなわち、マトリックス回路62より入力されたXYZ信号が、式（８）に従って、色合いが調整されたXYZ信号に変換される。
【００８２】
【数６】
2007041296.tif 000008
【００８３】
ステップS68において、マイクロコンピュータ41は、変換パラメータγAfをメモリ71から読み出す。ステップS69において、マイクロコンピュータ41は、ステップS68の処理で読み出された変換パラメータγAfをガンマ補正回路34に設定する。ステップS70において、ガンマ補正回路34は、ステップS69の処理で設定された変換パラメータγAfに基づいて、入力されたRGB信号をガンマ補正する。
【００８４】
そして、ステップS64において、表示部LCD13は、入力されたRGB信号に基づく画像をLCD13に表示する。
【００８５】
以上のようにして、マトリックス回路63により入力されたXYZ信号を変換パラメータAn，Afに基づいて最適化することにより、例えば図12に示されるように、バックライト13Aをオフした状態に表現される線L3で示される範囲の軸V21，V22，V23を、それぞれ線L2で示されるバックライト13Aを点灯した状態で表される範囲の軸V1，V2，V3と同軸とすることができる。これにより、バックライト13Aを消灯した状態における画像の色合いと、点灯した状態における画像の色合いを対応させることができる。
【００８６】
以上においては、本発明をデジタルスチルカメラに適用した場合を例として説明したが、本発明は、PDA（Personal Digital Assistants）、携帯型ビデオレコーダ、その他の画像処理装置に適用することができる。
【００８７】
図13は、上述した一連の処理をプログラムにより実行するパーソナルコンピュータの構成の例を示すブロック図である。CPU（Central Processing Unit）201は、ROM（Read Only Memory）202、または記憶部208に記憶されているプログラムに従って各種の処理を実行する。RAM（Random Access Memory）203には、CPU201が実行するプログラムやデータなどが適宜記憶される。これらのCPU201、ROM202、およびRAM203は、バス204により相互に接続されている。
【００８８】
CPU201にはまた、バス204を介して入出力インターフェース205が接続されている。入出力インターフェース205には、キーボード、マウス、マイクロホンなどよりなる入力部206、ディスプレイ、スピーカなどよりなる出力部207が接続されている。CPU201は、入力部206から入力される指令に対応して各種の処理を実行する。そして、CPU201は、処理の結果を出力部207に出力する。
【００８９】
入出力インターフェース205に接続されている記憶部208は、例えばハードディスクからなり、CPU201が実行するプログラムや各種のデータを記憶する。通信部209は、インターネットやローカルエリアネットワークなどのネットワークを介して外部の装置と通信する。
【００９０】
また、通信部209を介してプログラムを取得し、記憶部208に記憶してもよい。
【００９１】
入出力インターフェース205に接続されているドライブ210は、磁気ディスク、光ディスク、光磁気ディスク、或いは半導体メモリなどのリムーバブルメディア211が装着されたとき、それらを駆動し、そこに記録されているプログラムやデータなどを取得する。取得されたプログラムやデータは、必要に応じて記憶部208に転送され、記憶される。
【００９２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【００９３】
コンピュータにインストールされ、コンピュータによって実行可能な状態とされるプログラムを格納するプログラム格納媒体は、図13に示すように、磁気ディスク（フレキシブルディスクを含む）、光ディスク（CD-ROM(Compact Disc-Read Only Memory),DVD(Digital Versatile Disc)を含む）、光磁気ディスク（MD（Mini-Disc）を含む）、もしくは半導体メモリなどよりなるパッケージメディアであるリムーバブルメディア211、または、プログラムが一時的もしくは永続的に格納されるROM202や、記憶部208を構成するハードディスクなどにより構成される。プログラム格納媒体へのプログラムの格納は、必要に応じてルータ、モデムなどのインターフェースである通信部209を介して、ローカルエリアネットワーク、インターネット、デジタル衛星放送といった、有線または無線の通信媒体を利用して行われる。
【００９４】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【００９５】
また、本明細書において、システムとは、複数の装置により構成される装置全体を表すものである。
【００９６】
なお、本発明の実施の形態は、上述した実施の形態に限定されるものではなく、本発明の要旨を逸脱しない範囲において種々の変更が可能である。
【図面の簡単な説明】
【００９７】
【図１】従来のデジタルスチルカメラの構成を示すブロック図である。
【図２】色再現軸の異なる表示装置により、同じクロマデータを入力した場合の表示の変化を説明するグラフである。
【図３】色再現軸の異なる装置でクロマゲインと色相を調整した場合の色合いを説明する図である。
【図４】本発明の実施の形態のデジタルスチルカメラの構成を示すブロック図である。
【図５】本発明の実施の形態の測定装置の構成を示すブロック図である。
【図６】図５の測定装置の測定処理を説明するフローチャートである。
【図７】図５の測定装置の測定処理を説明するフローチャートである。
【図８】図５の測定装置の測定処理を説明するフローチャートである。
【図９】図４のデジタルスチルカメラの画像表示処理を説明するフローチャートである。
【図１０】図４のデジタルスチルカメラの画像表示処理を説明するフローチャートである。
【図１１】図４のデジタルスチルカメラの画像表示処理を説明するフローチャートである。
【図１２】色再現軸の異なる表示装置により、パラメータを最適に設定して表示した場合の色合いを説明する図である。
【図１３】パーソナルコンピュータの構成を示すブロック図である
【符号の説明】
【００９８】
１  デジタルスチルカメラ，  11  DSP，  12  LCD用駆動回路，  13  LCD，  13A  バックライト，  21  LCD用信号処理部，  31  輝度ゲイン調整回路，  32  クロマゲイン色相調整回路，  33  マトリックス回路，  34  ガンマ補正回路，  41  マイクロコンピュータ，  51  LCD用信号処理部，  61  ガンマ補正回路，  62，63  マトリックス回路，  71  メモリ，  72  入力部
【図１】
2007041296.tif 000009
【図２】
2007041296.tif 000010
【図３】
2007041296.tif 000011
【図４】
2007041296.tif 000012
【図５】
2007041296.tif 000013
【図６】
2007041296.tif 000014
【図７】
2007041296.tif 000015
【図８】
2007041296.tif 000016
【図９】
2007041296.tif 000017
【図１０】
2007041296.tif 000018
【図１１】
2007041296.tif 000019
【図１２】
2007041296.tif 000020
【図１３】
2007041296.tif 000021